(57)【特許請求の範囲】
【請求項１】
水圧源からの圧力水が減圧弁にて歯科診療用の通常圧に減圧され、逆止弁および各制御弁を介してインスツルメントや給水等に供給する水回路であるとともに、
前記各制御弁を介して前記通常圧より高い高圧水を一時的に前記水回路に供給することにより該水回路中の残留水を高圧水と共に排出する高圧回路を設けることにより構成した歯科診療ユニットの加圧式流体排出装置において、
前記高圧回路は、前記水圧源から導入された圧力水を加圧する加圧ポンプと、該加圧ポンプの出力側に設けられた該加圧ポンプにて加圧された高圧水を前記水回路に一時的に供給する電磁弁とから構成したことを特徴とする歯科診療ユニットの加圧式流体排出装置。
【請求項２】
前記高圧回路は、前記水圧源から導入された圧力水を加圧する加圧ポンプと、該加圧ポンプの出力側に設けられた該加圧ポンプにて加圧された高圧水を前記水回路に一時的に供給する電磁弁と、前記高圧水をシリンジに一時的に供給する電磁弁および流量調整弁とから構成したことを特徴とする請求項１記載の歯科診療ユニットの加圧式流体排出装置。
【請求項３】
水圧源からの圧力水が減圧弁にて歯科診療用の通常圧に減圧され、逆止弁および各制御弁を介してインスツルメントや給水等に供給する水回路であるとともに、
前記各制御弁を介して前記通常圧より高い高圧水を一時的に前記水回路に供給することにより該水回路中の残留水を高圧水と共に排出する高圧回路を設けることにより構成した歯科診療ユニットの加圧式流体排出装置において、
前記高圧回路は、空気源から圧力空気を前記高圧回路に導入する電磁弁と、前記圧力空気にて前記水回路中の圧力水を加圧するピストンおよびシリンダと、該ピストンおよびシリンダの出力側に設けられた該ピストンおよびシリンダにて加圧された高圧水を前記水回路に一時的に供給する電磁弁および該電磁弁をバイパスする逆止弁とから構成したことを特徴とする歯科診療ユニットの加圧式流体排出装置。
【請求項４】
前記高圧回路は、空気源から圧力空気を高圧回路に導入する電磁弁と、前記圧力空気にて前記水回路中の圧力水を加圧するピストンおよびシリンダと、該ピストンおよびシリンダの出力側に設けられた該ピストンおよびシリンダにて加圧された高圧水を前記水回路に一時的に供給する電磁弁および該電磁弁をバイパスする逆止弁と、前記高圧水をシリンジに一時的に供給する電磁弁および流量調整弁とから構成したことを特徴とする請求項３記載の歯科診療ユニットの加圧式流体排出装置。
【請求項５】
水圧源からの圧力水が減圧弁にて歯科診療用の通常圧に減圧され、逆止弁および各制御弁を介してインスツルメントや給水等に供給する水回路であるとともに、
前記各制御弁を介して前記通常圧より高い高圧水を一時的に前記水回路に供給することにより該水回路中の残留水を高圧水と共に排出する高圧回路を設けることにより構成した歯科診療ユニットの加圧式流体排出装置において、
前記高圧回路は、水圧源から導入された圧力水を水回路中の通常圧より高い高圧水に減圧する減圧弁と、減圧された高圧水を水回路に一時的に供給する電磁弁とからなることを特徴とする請求項１記載の歯科診療ユニットの加圧式流体排出装置。
【請求項６】
前記高圧回路の加圧タイミングは、フットコントローラにて操作することを特徴とする請求項１から５のいずれかに記載の歯科診療ユニットの加圧式流体排出装置。
【発明の詳細な説明】
【技術分野】
【０００１】
本発明は、歯科診療ユニットに備えられた水回路内の残留水を排出する流体排出装置に関する。
【背景技術】
【０００２】
従来から歯科診療ユニットに備えられたインスツルメントには一定の通常圧力に調整された圧力水が供給されている。この圧力水は診療が終了しても水回路内に残留しているため翌日の診療開始までの間に細菌が繁殖して不衛生になるという問題があり、毎日の診療開始前にハンドピースを含む全ての歯科治療器具から残留水を排出する洗浄、即ちフラッシングをする必要があった。特に休診日の翌日などは念入りにフラッシングをしなければならなかった。
【０００３】
また従来のフラッシングは，例えば残留水を排出するためにインスツルメント、コップ給水、鉢洗い、などの全ての回路から一定圧の水を一斉に排出する方法がとられていたが、この方法では流量が不足するために排出圧力が低下し、十分な排出ができないという問題がある。また流量不足にならないように各回路から順番に排出する方法では全部の回路から排出するのに多大な時間がかかるという問題がある。またフラッシングしても必ずしも管路の先端が開口しない部分については排水しきれないことになる。その他の方法として、インスツルメントをユニット本体や専用ホルダに保持させ、バキューム／排唾用インスツルメントの吸引力を利用して残留水を排出する方法もあるが、この場合は準備や片付けに時間がかかるという問題がある。しかるにこの残留水排出に関連する従来の技術としては、例えば次に掲げる特許文献１から５の発明が公知となっている。
【０００４】
特許文献１の発明は、歯科用スピットンにインスツルメントの係止部を設け、インスツルメント内における水回路の洗浄時、あるいはエアタービンの注油後におけるならし回転時等において、インスツルメントを係止部に係止し、インスツルメントから水をスピットンに放出して排水するものである。
【０００５】
特許文献２の発明は、水回路切替制御部および操作スイッチに、管径がより大きい水回路と管半径の小さい水回路の区分け並びに、区分けに対応する殺菌水、洗浄水、乾燥エアの切り替えを時系列にて順次に行い、各水回路の滅菌、洗浄および乾燥作業の効率化を図ると共に、水回路の酸化による腐食や劣化を防止するものである。
【０００６】
特許文献３の発明は、ハンドピース用のインスツルメントホースを接続するための中継金具からハンドピースに至る加圧水供給管路に、ろ過フィルタと、ろ過フィルタの出口側に逆止弁を設け、圧縮空気供給管路に設けた分岐回路にハンドピースと逆止弁との間の加圧水供給管路に連通させる空気回路を設け、水圧源からろ過フィルタに至る加圧水供給管路内の細菌をろ過フィルタにて捕集しつつハンドピース先端の水噴射ノズルを経て放水可能にし、かつ逆止弁からハンドピース先端に至る水管路に残留している水を、空気圧源から送られる圧縮空気によって除去することを可能にしたものである。
【０００７】
特許文献４の発明は、ハンドピースを駆動する圧縮空気供給管路および加圧水供給管路と、圧縮空気供給管路とハンドピースとに接続した圧縮空気供給用弁群および加圧水供給管路とハンドピースとに接続した加圧水供給用弁群とを構成する弁ブロックとを備え、フットコントローラにてハンドピースの速度制御および注水制御をする水回路清浄装置である。
【０００８】
特許文献５の発明は、歯科用チェアユニットの送水用各種装置と給水用装置および、送水を伴うハンドピース等の送水用各種器具の水回路開閉弁入り口を、総て直列に接続した水供給用の幹線管路を設け、同管路内に常時清浄な水を充填しておき、また残留水の排水を幹線回路にブランチされた各種装置又は器具で個々に実施して処理時間を短縮するものである。
【０００９】
【特許文献１】特開平８−３３６５５号公報
【特許文献２】特開２０００−２４５７５３号公報
【特許文献３】特開２００２−２５３５８３号公報
【特許文献４】特開２００２−１９１６２０号公報
【特許文献５】特開２００４−１８０７８２号公報
【発明の開示】
【発明が解決しようとする課題】
【００１０】
しかしながら、前記従来の特許文献１〜５は、いずれも歯科診療ユニットにおける水回路内の残留水を簡単かつ短時間に排出することはできないものであった。
よって本願発明は、歯科診療ユニットの加圧式流体排出装置において、水回路中に通常圧力以上の高い高圧水を一時的に供給して残留水を高圧水とともに短時間に排出することにより、簡単かつ短時間に残留水の排出を遂行することができる歯科診療ユニットの加圧式流体排出装置の提供を目的とするものである。
【課題を解決するための手段】
【００１１】
本発明は、水圧源から供給される圧力水を歯科診療用の通常圧に減圧して歯科診療ユニットに供給する水回路において、前記通常圧より高い高圧水を一時的に水回路に供給して水回路中の残留水を高圧水と共に排出する高圧回路を前記水回路に設けたことを特徴とするものである。この高圧回路による加圧手段としては、水回路中の圧力水を加圧ポンプにて加圧し、または歯科診療に供給される圧力空気を利用しピストンおよびシリンダを作動して加圧し、あるいは水圧源からの圧力水を水回路中の通常圧より高い圧力に減圧した高圧水を、電磁弁を介して一時的に水回路に供給するものである。なお、高圧回路の加圧のタイミングはフットコントローラの操作による。
【発明の効果】
【００１２】
本発明の歯科診療ユニットの加圧式流体排出装置は、常時使用する通常圧より高い高圧水を水回路に一時的に供給することにより水回路内の残留水を高圧水にて短時間に排出することができるという利点がある。また加圧式流体排出装置は、水圧源の圧力水を加圧回路に直接に導入して、ポンプにて加圧し、または空気回路の圧力空気を利用してシリンダおよびピストンを作動して加圧することにより、僅かに加圧するだけで高圧水が得られるのでシンプルで廉価な構成となる。また加圧のタイミングはフットコントローラの操作にて行うので、簡単かつ短時間に残留水の排出ができる。
【００１３】
以上により、本願発明の加圧式流体排出装置は、高圧回路にて診療開始前に残留水を短時間に排出できるので支障なく診療を開始することができる。
【発明を実施するための最良の形態】
【００１４】
歯科診療ユニットの水回路内から残留水を如何にして簡単かつ短時間に排出するかという目的を、水回路に、常時使用する圧力より高い高圧水を一時的に供給する高圧回路を設けたことで実現した。
【実施例１】
【００１５】
図１は本発明の加圧式流体排出装置の実施例１を示し、加圧ポンプを用いた加圧方式の回路図である。
図１に示すように、本発明に係る歯科用ユニットの加圧式流体排出装置の水回路１は、水圧源２からの圧力水が減圧弁３にて歯科診療用の通常圧に減圧され、逆止弁４および各制御弁５を介して、エアタービンハンドピース６、マイクロモータハンドピース７、シリンジ８、給水９および鉢洗い１０などに供給される構成である。
【００１６】
図1に示すように、本実施例の加圧方式は水圧源2から供給される圧力水を歯科診療用の通常圧より高い圧に加圧する加圧ポンプ12と、加圧された高圧水を水回路1に一時的に供給する電磁弁13とからなる高圧回路11を水回路1に設けたものである。なお図中の符号10aはスピットンを示す。
【００１７】
この構成の高圧回路11は、水回路1中の残留水を排出するに際して、図示しないフットコントローラを操作することにより水圧源2から供給された圧力水は加圧ポンプ12にて通常圧より高い圧に加圧され、電磁弁13を開放すると共に流量調整弁14を手元スイッチ操作、あるいは機械的操作にて開放状態にして、加圧された高圧水を水回路1に一時的に供給することにより、エアタービンハンドピース6、マイクロモータハンドピース7、シリンジ8、給水9、鉢洗い10それぞれの出口から残留水が高圧水と共に簡単かつ短時間に排出される。
【実施例２】
【００１８】
図２は本発明の加圧式流体排出装置の実施例２を示し、加圧ポンプを用いた他の例を示す加圧方式の回路図である。
図２に示すように本実施例の加圧方式は、加圧ポンプ１２と、水回路１に高圧水を一時的に供給する電磁弁１３と、シリンジ８に高圧水を一時的に供給する電磁弁１６および流量調整弁１７とからなる高圧回路１５を水回路１に設けたものである。一方、水回路１側の流量調整弁１４の先方には逆止弁１８が設けられ、高圧回路１５の電磁弁１６から供給される高圧水が各制御弁５側に流入しないように構成されている。
【００１９】
この構成の高圧回路15は、水回路1中の残留水を排出するに際して、図示しないフットコントローラを操作することにより水圧源2から供給された圧力水が加圧ポンプ12にて通常圧より高い圧に加圧され、電磁弁13を開放すると共に流量調整弁14を手元スイッチ操作、あるいは機械的操作にて開放状態にすることにより、加圧された高圧水は水回路1に一時的に供給される。一方、加圧された高圧水を、電磁弁16および流量調整弁17を介してシリンジ8に一時的に供給することにより、エアタービンハンドピース6、マイクロモータハンドピース7、シリンジ8、給水9、鉢洗い10それぞれの出口から残留水が高圧水と共に簡単かつ短時間に排出される。
【００２０】
また本実施例の加圧方式は、前記実施例１において１個の電磁弁13を介して高圧水を水回路1全体に供給し、高圧水をエアタービンハンドピース6、マイクロモータハンドピース7、シリンジ8、給水9、鉢洗い10などの全ての出口から残留水を排出することに比べて、別回路にてシリンジに高圧水を単独、かつ随時選択的に供給することが可能な構成になっている。
【実施例３】
【００２１】
図３および図４は本発明の加圧式流体排出装置の実施例３を示し、図３はピストンおよびシリンダを用いた加圧方式を示す回路図、図４は図３の変形例を示す図である。
図３に示すように本実施例の加圧方式は、空気源１９の圧力空気を利用してピストンおよびシリンダ２０を作動させ、水回路１から供給される圧力水を加圧する高圧回路２１を水回路１に設けたものである。なお前記実施例１と同様な構成部分については同一符号を付して重複する説明を省略する。
【００２２】
本実施例の高圧回路21は、空気源19の圧力空気を導入する電磁弁22と、圧力空気にて作動するピストンおよびシリンダ20と、水回路1から圧力水をピストンおよびシリンダ20に供給するバイパス回路31およびバイパス回路31に設けられた逆止弁32と、ピストンおよびシリンダ20にて加圧された高圧水を水回路1に一時的に供給する電磁弁23とからなり、ピストンおよびシリンダ20の作動により、水回路1中の圧力水を通常圧より高い圧に加圧した高圧水を水回路1に一時的に供給するものである。また本実施例の変形例として図4に示すように高圧回路21のバイパス回路31に逆止弁32と流量調整弁33を並列に設けて戻り抵抗をつける構成にしてもよい。
【００２３】
この構成の高圧回路21は、水回路1中の残留水を排出するに際して、図示しないフットコントローラを操作することにより、水回路１から逆止弁32を介してピストンおよびシリンダ20に供給された通常圧の圧力水が、空気源19から電磁弁22を介して供給された高圧空気にて作動するピストンおよびシリンダ20にて加圧され、通常圧より高い高圧水となって電磁弁23の開放と、流量調整弁14の手元スイッチ操作、あるいは機械的操作による開放により加圧された高圧水は水回路1に一時的に供給され、エアタービンハンドピース6、マイクロモータハンドピース7、シリンジ8、給水9、鉢洗い10それぞれの出口から残留水が高圧水と共に簡単かつ短時間に排出される。なお図中の符号27は空気源の圧力を歯科診療に用いる通常圧に減圧する減圧弁を示す。
【実施例４】
【００２４】
図５および図６は本発明の加圧式流体排出装置の実施例４を示し、図５はピストンおよびシリンダを用いた加圧方式の他の例を示す回路図、図６は図５の変形例である。
図５に示すように本実施例の加圧方式は、前記実施例３と同様に水圧源２と空気源１９を有する水回路１に対して、空気源１９の圧力空気を導入する電磁弁２２と、圧力空気にて作動するピストンおよびシリンダ２０と、水回路１から圧力水をピストンおよびシリンダ２０に供給するバイパス回路３１およびバイパス回路３１に設けられた逆止弁３２と、ピストンおよびシリンダ２０にて加圧された高圧水を水回路１に供給する電磁弁２３と、高圧水をシリンジ８に供給する電磁弁２４および流量調整弁３４とからなる高圧回路２６を水回路１に設けたものであり、前記実施例３と同一構成部分には同一符号を付して重複する説明を省略する。また本実施例の変形例として図６に示すようにバイパス回路３１に流量調整弁３３を逆止弁３２と並列に設けて戻り抵抗をつける構成にしてもよい。
【００２５】
この構成の高圧回路26は、水回路1中の残留水を排出するに際して、図示しないフットコントローラを操作することにより、水回路１から逆止弁32を介してピストンおよびシリンダ20に供給された通常圧の圧力水が、空気源19から電磁弁22を介して供給された高圧空気にて作動するピストンおよびシリンダ20にて加圧され、通常圧より高い高圧水となって電磁弁23の開放と共に流量調整弁14の手元スイッチ操作、あるいは機械的操作による開放により加圧された高圧水は水回路1に一時的に供給される。一方、加圧された高圧水を、電磁弁24および流量調整弁34を介してシリンジ8に一時的に供給することにより、エアタービンハンドピース6、マイクロモータハンドピース7、シリンジ8、給水9、鉢洗い10それぞれの出口から残留水が高圧水と共に簡単かつ短時間に排出される。
【実施例５】
【００２６】
図７は本発明の加圧式流体排出装置の実施例５を示し、圧力設定が通常圧と異なる減圧弁を用いた加圧方式を示す回路図である。
図７に示すように本実施例の加圧方式は、通常圧より高い圧力に設定された減圧弁２９と、減圧弁２９を経た高圧水を一時的に水回路１に供給する電磁弁２８とからなる高圧回路３０を水回路１に設けたものである。また減圧弁２９は設けないで水圧源２の圧力水を直接に水回路１に供給することで残留水を排出することも可能である。なお前記実施例１と同一構成部分には同一符号を付して重複する説明を省略する。
【００２７】
この構成の高圧回路30は、水回路1中の残留水を排出するに際して、図示しないフットコントローラを操作することにより、水圧源2から供給された圧力水は通常圧より高い圧力に設定された減圧弁29を経て高圧水となり、この高圧水が電磁弁28の開放により一時的に水回路1に供給されることにより、エアタービンハンドピース6、マイクロモータハンドピース7、シリンジ8、給水9、鉢洗い10それぞれの出口から残留水が高圧水と共に簡単かつ短時間に排出される。また本実施例で示す高圧回路30は、圧力設定の異なる減圧弁を有する図示しない高圧回路を並列に構成し、適宜に圧力を選択して水回路1に各種高圧水を一時的に供給することもできる。
【００２８】
なお、前記実施例１から５において、加圧手段による加圧のタイミングはフットコントローラ操作により適宜に行うことができる。
【図面の簡単な説明】
【００２９】
【図１】加圧ポンプを用いた加圧方式の回路図である。（実施例１）
【図２】加圧ポンプを用いた加圧方式の他の例を示す回路図である。（実施例２）
【図３】ピストンおよびシリンダを用いた加圧方式の回路図である。（実施例３）
【図４】図3の変形例を示す図である。（実施例３)
【図５】ピストンおよびシリンダを用いた加圧方式の他の例を示す回路図である。（実施例４）
【図６】図5の変形例である。（実施例４）
【図７】通常圧力とは圧力設定が異なる減圧弁を用いた加圧方式を示す回路図である。（実施例５）
【符号の説明】
【００３０】
1  水回路
2  水圧源
3  減圧弁
4  逆止弁
5  各制御弁
6 エアタービンハンドピース
7 マイクロモータハンドピース
8  シリンジ
9  給水
10  鉢洗い
11, 15, 21, 26, 30  高圧回路
12  加圧ポンプ
13, 16, 22, 23, 24, 28  電磁弁
14, 17, 33, 34  流量調整弁
18、32  逆止弁
19  空気源
20  ピストンおよびシリンダ
27, 29減圧弁
31 バイパス回路
【図１】
0005517018.tif 000002
【図２】
0005517018.tif 000003
【図３】
0005517018.tif 000004
【図４】
0005517018.tif 000005
【図５】
0005517018.tif 000006
【図６】
0005517018.tif 000007
【図７】
0005517018.tif 000008